(57)【要約】      （修正有）【課題】同時に多くの人体組織が検査できるようにして、検査時間・費用を節減できる人体組織検査器具を提供する。【解決手段】円筒状の本体１１と、本体の先端に螺合され、人体組織を小片に打抜き、採取する打抜きチップ１２と、打抜きチップの通孔１２ａの内部で移動して、挿入された人体組織を外部へ押し出す小径棒１３と、小径棒を内向に付勢する弾性力を加えるため、中間段差部１３ａと打抜きチップ１２の内側端部間で小径棒の外周に嵌合される弾性スプリング１４と、前記小径棒の内側端部に螺合され、本体の外部へ突出した外側端部１５ａ及び本体の端部に係止される係止段差部１５ｂを有する大径棒１５とからなる人体組織打抜き器１０と；切取られた小片の人体組織を収容して配列するための、アガロース及びパラフィンの混合材質からなり、人体組織打抜き器の打抜きチップの通孔の内径と同じ円形孔が多数形成されたアガロースベースとを含む。【選択図】図２
2005058540.tif 000002
【特許請求の範囲】
【請求項１】
円筒状の本体（１１）と、前記本体（１１）の先端に螺合されたものであって、人体組織を小片に打抜き、採取するための打抜きチップ（１２）と、前記打抜きチップ（１２）の通孔（１２ａ）の内部で移動して、通孔（１２ａ）の内部に挿入された人体組織を外部へ押し出すための小径棒（１３）と、前記小径棒（１３）を内向に付勢する弾性力を加えるため、小径棒（１３）の中間段差部（１３ａ）と打抜きチップ（１２）の内側端部間で小径棒（１３）の外周に嵌合される弾性スプリング（１４）と、前記小径棒（１３）の内側端部に螺合されるものであって、本体（１１）の外部へ突出した外側端部（１５ａ）及び本体（１１）の端部に係止される係止段差部（１５ｂ）を有する大径棒（１５）とからなる人体組織打抜き器（１０）と；
前記人体組織打抜き器（１０）により切取られた小片の人体組織を収容して配列するものであって、アガロース及びパラフィンの混合材質からなり、前記人体組織打抜き器（１０）の打抜きチップ（１２）の通孔（１２ａ）の内径と同じ内径を有する円形孔（２１）が多数形成されたアガロースベース（２０）とを含んでなることを特徴とする人体組織検査器具。
【発明の詳細な説明】
【技術分野】
【０００１】
本発明は人体の組織を採取して顕微鏡で組織検査するのに使用される人体組織検査器具に係り、より詳しくは人体組織を検査するに当たって、多くの人の身体組織をそれぞれ小片で切取り、一つのベースに配列（アレイ）し、一度に顕微鏡で観測できるようにして、多くの人の身体組織が同時に検査できるようにして、経済的に利得を与え、検査時間を節減する人体組織検査器具に関するものである。
【背景技術】
【０００２】
一般に、病院で各種の癌検査など、身体の異常有無を判断するため、該当部位の身体組織の一部を切取り、顕微鏡で異常有無を観察する組織検査を行うことがある。
【０００３】
従来、人体組織を検査するためには、適切な切取器具を用いて人体の該当部位から多少大きな人体組織を切取った後、これをパラフィンに埋め込む。その後、これを薄く切ったスライスを用意し、このスライスを透明ガラスのスライド上に置き、顕微鏡で観察する。
【発明の開示】
【発明が解決しようとする課題】
【０００４】
前述したように、従来の人体組織検査は一人の人体組織のみを検査するようになっている。ところで、通常人体の組織検査は総合病院で行われ、総合病院では多くの人の組織を検査するので、検査者は多くの人の人体組織を検査するため、前記のような手続を繰り返さなければならない。したがって、従来の人体組織検査は時間及び費用が高くかかる問題点があった。
【０００５】
本発明は前記のような従来技術の問題点に鑑みてなされたもので、同時に多くの人の人体組織が検査できるようにして、検査時間及び検査費用を節減するようにする人体組織検査器具を提供することにその目的がある。
【課題を解決するための手段】
【０００６】
前記のような目的を達成するための本発明の人体組織検査器具は、円筒状の本体と、前記本体の先端に螺合されたものであって、人体組織を小片に打抜き、採取するための打抜きチップと、前記打抜きチップの通孔の内部で移動して、通孔の内部に挿入された人体組織を外部へ押し出すための小径棒と、前記小径棒を内向に付勢する弾性力を加えるため、小径棒の中間段差部と打抜きチップの内側端部間で小径棒の外周に嵌合される弾性スプリングと、前記小径棒の内側端部に螺合されるものであって、本体の外部へ突出した外側端部及び本体の端部に係止される係止段差部を有する大径棒とからなる人体組織打抜き器と；前記人体組織打抜き器により切取られた小片の人体組織を収容して配列（アレイ）するものであって、アガロース及びパラフィンの混合材質からなり、前記人体組織打抜き器の打抜きチップの通孔の内径と同じ内径を有する円形孔が多数形成されたアガロース(agarose)ベースとを含んでなる。
【発明の効果】
【０００７】
以上説明したように、本発明による人体組織検査器具は、人体組織打抜き器を用いて多くの人の人体組織をそれぞれ打抜き、切取り、これを一つのアガロースベースに配列することにより、多くの人の人体組織が同時に検査できるようにして、検査費用及び検査時間を節減することができる。
【発明を実施するための最良の形態】
【０００８】
以下、本発明の好ましい実施例を添付図面に基づいて詳細に説明する。
【０００９】
図１は本発明の実施例による人体組織検査器具の一構成要素である人体組織打抜き器の斜視図、図２は図１の人体組織打抜き器の断面図、図３は本発明の実施例による人体組織検査器具のほかの構成要素であるアガロースベースの斜視図、図４は人体組織が配列された本発明の実施例によるアガロースベースをパラフィンに埋め込む状態を示す断面図、図５は顕微鏡による人体組織検査のため、薄片スライスを透明スライドに置いた状態を示す平面図である。
【００１０】
本発明の実施例による人体組織検査器具は、人体から採取した大きな人体組織を小片に打抜き、切取るための人体組織打抜き器１０と、前記人体組織打抜き器１０により切取られた小片の人体組織を配列（アレイ）して固定するアガロース（ａｇａｒｏｓｅ）ベース２０とが１組として構成される。
【００１１】
図１及び図２に示すように、前記人体組織打抜き器１０は、円筒状の本体１１と、前記本体１１の先端に螺合されたものであって、人体組織を小片に打抜き、採取するための打抜きチップ１２と、前記打抜きチップ１２の通孔１２ａの内部で移動して、通孔１２ａの内部に挿入された人体組織を外部へ押し出すための小径棒１３と、前記小径棒１３を内向に付勢する弾性力を加えるため、小径棒１３の中間段差部１３ａと打抜きチップ１２の内側端部間で小径棒１３の外周に嵌合される弾性スプリング１４と、前記小径棒１３の内側端部に螺合されるものであって、本体１１の外部へ突出した外側端部１５ａ及び本体１１の端部に係止される係止段差部１５ｂを有する大径棒１５とからなる。
【００１２】
前記打抜きチップ１２の先端は、人体組織に容易に食い込むように、刃の如く鋭利に形成され、小径棒１３と大径棒１５は螺合方式で締結される。そして、小径棒１３の中間段差部１３ａはナット状に形成されるので、小径棒１３と大径棒１５の螺合を容易にする。
【００１３】
大径棒１５は、外側端部１５ａが本体１１の外部へ突出するように相対的に小径に形成され、その境界部に係止段差部１５ｂが設けられる。また、外側端部１５ａにはネジ孔が形成され、これに押しヘッド１５ｃが螺合方式で締結されるので、親指で押しやすくなる。
【００１４】
図３に示すように、前記人体組織打抜き器１０で採取した小片の人体組織を収容して配列するアガロース(ａｇａｒｏｓｅ)ベース２０は、アガロースとパラフィンの混合材質でなっており、前記人体組織打抜き器１０の打抜きチップ１２の通孔１２ａの内径と同じ内径を有する円形孔２１が多数形成されている。
【００１５】
このように構成される本発明の実施例による人体組織検査器具はつぎのように作用する。
【００１６】
まず、人体組織打抜き器１０により人体から切取られた多少大きな人体組織から小片の組織を打抜き、採取する方法について説明する。検査者が人体組織打抜き器１０の本体１１を手で握って人体組織に向けて押し込むと、人体組織が打抜けながら、打抜けた小片の人体組織１が打抜きチップ１２の通孔１２ａの内部に挿入される。その後、打抜きチップ１２の先端をアガロースベース２０の円形孔２１に当て、親指で大径棒１５の押しヘッド１５ｃを押し入れると、小径棒１３の先端が打抜きチップ１２の通孔１２ａに挿入されている人体組織１が押し出されアガロースベース２０の円形孔２１に入る。大径棒１５を押し込む力を除去すると、小径棒１３は弾性スプリング１４の弾性力により本来の位置に戻る。
【００１７】
このような作業を繰り返して多くの人の人体組織を一つのアガロースベース２０の多数の円形孔２１にそれぞれ配列する。そして、人体組織の配列されたアガロースベース２０をパラフィンに埋め込む。
【００１８】
図４に示すように、この埋め込みのため、アガロースベース２０をベースモールド３０に入れ、その上に、多数の孔が開いているカセット４０を載せる。そして、カセット４０上に固状のパラフィンを載せてから熱を加える。
【００１９】
すると、パラフィンが溶けてカセット４０の孔を通じて下部に流れ、図４に示すように、アガロースベース２０を取り囲む。この際、アガロースベース２０も解けながらパラフィン５０と融合する。
【００２０】
その後、パラフィンが固くなると、パラフィンによりカセット４０とアガロースベース２０が一体になり、カセット４０を持ち上げると、人体組織１が配列されたアガロースベース２０も一緒に持ち上げられる。
【００２１】
図５に示すように、カセット４０を、物体を薄く切る機械であるスライサーに固定させ、人体組織１及びパラフィン５０を薄く切り取って多数のスライス６０を用意し、ついで、スライス６０を各種の薬品で処理した後、透明ガラスからなるスライド（ガラス）７０に載せ、顕微鏡で観察して組織検査を行う。
【００２２】
スライス６０には多くの人の人体組織１が一緒に配列されているので、組織検査者が同時に多数人の人体組織を検査することができる。
【産業上の利用可能性】
【００２３】
このような人体組織検査器具は人体の組織を検査するのに限らず、動物の組織を検査するのにも適用することができる。
【図面の簡単な説明】
【００２４】
【図１】図１は本発明の実施例による人体組織検査器具の一構成要素である人体組織打抜き器の斜視図である。
【図２】図１の人体組織打抜き器の断面図である。
【図３】本発明の実施例による人体組織検査器具のほかの構成要素であるアガロースベースの斜視図である。
【図４】人体組織が配列された本発明の実施例によるアガロースベースをパラフィンに埋め込む状態を示す断面図である。
【図５】顕微鏡による人体組織検査のため、薄いスライスを透明スライドに置いた状態を示す平面図である。
【符号の説明】
【００２５】
１      人体組織
１０    人体組織打抜き器
１１    本体
１２    打抜きチップ
１２ａ  通孔
１３    小径棒
１３ａ  中間段差部
１４    弾性スプリング
１５    大径棒
１５ａ  外側端部
１５ｂ  係止段差部
１５ｃ  押しヘッド
２０    アガロースベース
２１    円形孔
３０    ベースモールド
４０    カセット
５０    パラフィン
６０    スライス
７０    スライド
【図１】
2005058540.tif 000003
【図２】
2005058540.tif 000004
【図３】
2005058540.tif 000005
【図４】
2005058540.tif 000006
【図５】
2005058540.tif 000007
【手続補正書】
【提出日】平成15年8月19日(2003.8.19)
【手続補正１】
【補正対象書類名】特許請求の範囲
【補正対象項目名】全文
【補正方法】変更
【補正の内容】
【特許請求の範囲】
【請求項１】
円筒状の本体（１１）と、前記本体（１１）の先端に結合され、人体組織を小片に打抜き、採取するための打抜きチップ（１２）と、前記打抜きチップ（１２）の通孔（１２ａ）の内部で移動して、通孔（１２ａ）の内部に挿入された人体組織を外部へ押し出すための小径棒（１３）と、前記小径棒（１３）を内向に付勢する弾性力を加える弾性部材（１４）と、前記小径棒（１３）の内側端部に結合され、本体（１１）の外部へ突出した外側端部（１５ａ）を有する大径棒（１５）とからなる人体組織打抜き器（１０）と；
前記人体組織打抜き器（１０）により切取られた小片の人体組織を収容して配列するものであって、アガロース及びパラフィンの混合材質からなり、前記人体組織打抜き器（１０）の打抜きチップ（１２）の通孔（１２ａ）の内径と同じ内径を有する円形孔（２１）が多数形成されたアガロースベース（２０）とを含んでなることを特徴とする人体組織検査器具。
【手続補正２】
【補正対象書類名】明細書
【補正対象項目名】０００６
【補正方法】変更
【補正の内容】
【０００６】
前記のような目的を達成するための本発明の人体組織検査器具は、円筒状の本体と、前記本体の先端に結合され、人体組織を小片に打抜き、採取するための打抜きチップと、前記打抜きチップの通孔の内部で移動して、通孔の内部に挿入された人体組織を外部へ押し出すための小径棒と、前記小径棒を内向に付勢する弾性力を加える弾性部材と、前記小径棒の内側端部に結合され、本体の外部へ突出した外側端部を有する大径棒とからなる人体組織打抜き器と；前記人体組織打抜き器により切取られた小片の人体組織を収容して配列するものであって、アガロース及びパラフィンの混合材質からなり、前記人体組織打抜き器の打抜きチップの通孔の内径と同じ内径を有する円形孔が多数形成されたアガロースベースとを含んでなる。